(57)【要約】【課題】パズル完成後に現れる絵柄から、付与されるコンテンツ情報を色彩又は濃淡に対応してコード化した機械で判読可能なコードを読み取ることにより、コンテンツ情報を提供可能とするスライドパズルを提供する。【解決手段】スライドパズル１０は、複数の矩形のパズル片１２を縦横に配置し、パズル片１つ分を取り除いてできた空所１３を利用して縦横方向に移動しながら表面の絵柄１４を揃え、現れる絵柄１４に、コンテンツ情報４０を色彩又は濃淡に対応してコード化した機械で判読可能なコードであるカラーコード情報２０が付与される。クライアント端末１１０は、読み取ったカラーコード情報２０のデコード処理を行い、デコード情報をデコーダサーバ１２０に送信し、再生されたコンテンツ情報４０を用いてコンテンツサーバ１３０にアクセスし、コンテンツデータを取得する。【選択図】図１
2008000236.tif 000002
【特許請求の範囲】
【請求項１】
複数の矩形形状のパズル片と、縁部と、縁部を有する底盤と、からなり、複数のパズル片を縦横に配置し、前記底盤上にパズル片１つ分を取り除いてできた空所を利用して縦横方向に移動自在とするスライドパズルであって、
各パズル片を、前記空所を利用して縦横方向に移動しながら、各パズル片の表面上の文字及び／又は絵柄を揃え、パズルを完成させることにより現れる文字及び／又は絵柄に、所定のコンテンツ情報を色彩又は濃淡に対応してコード化した機械で判読可能なコードが付与されていることを特徴とするスライドパズル。
【請求項２】
前記機械で判読可能なコードは、色彩又は濃淡によって情報をコード化した機械で判読可能なコードを機械的に識別可能な読取機能を備えたクライアント端末で読み取られ、前記クライアント端末、及び／又は、ネットワークを介して接続されるデコーダサーバを介して、読み取った前記機械で判読可能なコードのデコード処理を行われ、デコード処理結果から前記コンテンツ情報に再生されることを特徴とする請求項１記載のスライドパズル。
【請求項３】
前記クライアント端末は、再生された前記コンテンツ情報を基に、ネットワークを介して、コンテンツ提供サーバ、又は記録媒体にアクセスし、コンテンツデータを取得することを特徴とする請求項２記載のスライドパズル。
【請求項４】
前記コンテンツ情報は、前記コンテンツ提供サーバのＵＲＬ情報、前記コンテンツ提供サーバ内のコンテンツを特定する識別情報、ネットワークを特定する識別情報、属性情報の少なくとも一つを含むことを特徴とする請求項１記載のスライドパズル。
【請求項５】
前記パズル片は隣接する他のパズル片及び／又は縁部と部分的に結合し、各パズル片に印刷されるコードは、互に前記コンテンツ情報の関連性を有することを特徴とする請求項１記載のスライドパズル。
【請求項６】
前記スライドパズルは、前記パズル片の表裏両面に、２種類の文字及び／又は絵柄が印刷されていることを特徴とする請求項１記載のスライドパズル。
【発明の詳細な説明】
【技術分野】
【０００１】
本発明は、複数のパズル片からなり、色や絵柄を組み合わせて完成させるスライドパズルに係り、特に、パズル表面に所定のコンテンツ情報を色彩又は濃淡に対応してコード化した機械で判読可能なコードが付与されるスライドパズルに関する。
【背景技術】
【０００２】
従来、複数のパズル片を縦横に配列し、予め１個分の空所を設けておいてからこの空所を利用してパズル片を移動させて並べ替え、パズル片の表面の絵柄、写真、模様等を揃え、楽しみながら完成させる平板のパズル玩具が知られている（例えば、特許文献１参照）。
【０００３】
一方、雑誌、カタログなどの印刷物に、掲載商品の詳細な情報を利用者に提示するＷｅｂサイトのＵＲＬの情報を符号化データに変換された２次元バーコード（例えばＱＲコード）を作成し、直接、印刷物に掲載することにより、利用者は、カメラ付携帯電話等で２次元バーコードを読み取り、携帯電話の通信機能によってサーバに送り出され、簡単に必要な情報の入力を行なうことを可能としていた（例えば、特許文献２）。
【０００４】
更に、近年、複数の色彩又は濃淡で表現されたセルを用いてデータをコードでエンコーディングし、そのエンコーディングされたコードをコンピュータと周辺装置を用いてデコーディングする方法が開示されている（例えば、特許文献３）。
【０００５】
【特許文献１】実開昭５７−１０９８８５号公報
【特許文献２】特開２００４−８０５８５号公報
【特許文献３】特開２００１−３１９２００号公報
【発明の開示】
【発明が解決しようとする課題】
【０００６】
しかしながら、このようなパズルは、縦横方向への移動操作だけで、比較的に簡単に色や絵柄等の情報を組み合わせて完成されてしまい、特に、幼児を対象とする学習用教材として考えると、単純にパズルを完成させることを目的とするだけでは、使用者の興味を引き、飽きさせないようにすることは難しかった。
【０００７】
本発明は、以上の点に鑑みてなされたものであり、パズル完成後に現れる絵柄から、付与されるコンテンツ情報を色彩又は濃淡に対応してコード化した機械で判読可能なコードを読み取ることにより、コンテンツ情報を提供可能とするスライドパズルを提供することを目的とする。
【課題を解決するための手段】
【０００８】
前述した目的を達成するために本発明は、複数の矩形形状のパズル片と、縁部と、縁部を有する底盤と、からなり、複数のパズル片を縦横に配置し、前記底盤上にパズル片１つ分を取り除いてできた空所を利用して縦横方向に移動自在とするスライドパズルであって、各パズル片を、前記空所を利用して縦横方向に移動しながら、各パズル片の表面上の文字及び／又は絵柄を揃え、パズルを完成させることにより現れる文字及び／又は絵柄に、所定のコンテンツ情報を色彩又は濃淡に対応してコード化した機械で判読可能なコードが付与されていることを特徴とするスライドパズルである。
【０００９】
また、前記機械で判読可能なコードは、色彩又は濃淡によって情報をコード化した機械で判読可能なコードを機械的に識別可能な読取機能を備えたクライアント端末で読み取られ、前記クライアント端末、及び／又は、ネットワークを介して接続されるデコーダサーバを介して、読み取った前記機械で判読可能なコードのデコード処理を行われ、デコード処理結果から前記コンテンツ情報に再生されることが望ましい。
また、前記クライアント端末は、再生された前記コンテンツ情報を基に、ネットワークを介して、コンテンツ提供サーバ、又は記憶媒体にアクセスし、コンテンツデータを取得することが望ましい。
また、前記スライドパズルは、前記パズル片の表裏両面に２種類の文字及び／又は絵柄が印刷されていることが望ましい。
【００１０】
本発明によるスライドパズルは、複数の矩形形状のパズル片と、縁部と、縁部を有する底盤と、からなり、複数のパズル片を縦横に配置し、底盤上にパズル片１つ分を取り除いてできた空所を利用して縦横方向に移動自在とし、各パズル片を、空所を利用して縦横方向に移動しながら、各パズル片の表面上の文字及び／又は絵柄を揃え、パズルを完成させることにより現れる文字及び／又は絵柄に、所定のコンテンツ情報を色彩又は濃淡に対応してコード化した機械で判読可能なコードが付与されている。
【００１１】
「機械で判読可能なコード」は、所定のコンテンツ情報を色彩又は濃淡に対応してコード化したコードである。
「コンテンツ情報」は、文字、数字、記号等であり、コンテンツサーバのＵＲＬ、コンテンツ提供サーバ内のコンテンツを特定する識別情報、ネットワークを特定する識別情報、属性情報の少なくとも一つを含む。
【００１２】
本発明では、パズル表面に所定のコンテンツ情報を色彩又は濃淡に対応してコード化した機械で判読可能なコードを印刷し、コンテンツ配信サイトへの誘導をするコンテンツ情報を提供することを可能とし、パズルを完成させる目的以外にも、読取装置によってコンテンツ情報を再生するという楽しみが加えることができ、使用者の興味を引き、飽きるようなことなく、楽しめるという効果を奏する。
また、コンテンツ情報を色彩又は濃淡に対応してコード化した機械で判読可能なコードであるカラーコード情報をスライドパズルに付加していることにより、デジタルカメラを備えた機器で読取可能とし、容易に利用者にのみ有用なコンテンツデータを入手・利用することができる。
【発明の効果】
【００１３】
本発明は、以上の点に鑑みてなされたものであり、パズル完成後に現れる絵柄から、付与されるコンテンツ情報を色彩又は濃淡に対応してコード化した機械で判読可能なコードを読み取ることにより、コンテンツ情報を提供可能とするスライドパズルを提供することができる。
【発明を実施するための最良の形態】
【００１４】
以下に、添付図面を参照しながら、本発明にスライドパズル１０等の好適な実施形態について詳細に説明する。尚、以下の説明および添付図面において、略同一の機能構成を有する構成要素については、同一の符号を付することにより重複説明を省略することにする。
【００１５】
図１は、本実施の形態に係るスライドパズル１０の構成を示す図であり、図１（ａ）は、本実施の形態に係るスライドパズル１０の構成を示す斜視図、図１（ｂ）は図１（ａ）のＡ−Ａによる断面図である。図１は、スライドパズル１０の一例であり、図１（ａ）に示すように、スライドパズル１０は、縁部１１、複数の矩形のパズル片１２−１、１２−２、…、底盤１６等からなる。例えば、５×５＝２５個の正方形の形状のパズル片１２−１、１２−２、…を縦横に配列して底盤１６上に収容し、パズル片１２ｓの１個分を取り除くことでできた空所１３を利用して、各パズル片１２を縦横方向にスライド移動させるものである。
パズル片１２−１、１２−２、…の表面には、コンテンツ情報を色彩又は濃淡に対応してコード化した機械で判読可能なコード（以降、「カラーコード情報」と称す）を付与した絵柄１４及び／又は文字１７が印刷されている。絵柄１４及び／又は文字１７を揃えながらパズル片１２−１、１２−２、…を移動させ、パズル完成後、予め取り除いたパズル片１２ｓを空所１３に埋め込み、スライドパズル１０の表面には、複数のブロックであるセル１５から構成される。例えば、５×５、５×８の複数のセル１５からなるカラーコード情報２０が表示される。各セル１５は、色彩（又は濃淡）を判断する、ＲＧＢ(Ｒｅｄ、Ｇｒｅｅｎ、Ｂｌｕｅ)モデル、ＨＳＶ(Ｈｕｅ
ａｎｇｌｅ、Ｓａｔｕｒａｔｉｏｎ、Ｖａｌｕｅ)モデル、ＣＭＹ(Ｃｙａｎ、Ｍａｇｅｎｔａ、Ｙｅｌｌｏｗ)モデル、ＨＬＳ(Ｈｕｅ ａｎｇｌｅ、Ｌｉｇｈｔｎｅｓｓ、Ｓａｔｕｒａｔｉｏｎ)モデル中の少なくともいずれか一つの方式に基づいて印刷され、赤色、緑色、青色、黒色の４色のいずれかからなる。
図１（ｂ）に示すように、スライドパズル１０は、縁部１１とパズル片１２−１、１２−２、…と空所１３と底盤１６を重ね合わせた構成を有する。
【００１６】
また、異なる種類の絵柄１４及び／又は文字１７が各パズル片１２の表裏の両面に印刷されて、一つのスライドパズル１０にて２種類の絵柄を楽しむこともできる。
【００１７】
また、各パズル片１２にセル１５を対応付ける必要性はなく、例えば、４×４のパズル片１２に対して、完成後の全パズル片１２−１、１２−２、…の表面に５×５のセル１５からなるカラーコード情報２０を表示してもよい。図２は、各パズル片１２にセル１５を対応付けられていないスライドパズル１０ａを示す図である。
図２に示すように、スライドパズル１０ａは、底盤１６上に４×４＝１６個の正方形の形状のパズル片１２−１、１２−２、…を縦横に配列、収容し、パズル片１２ｓの１個分を取り除くことでできた空所１３を利用して、各パズル片１２を縦横方向にスライド移動させながら、パズル片１２−１、１２−２、…の表面上に印刷されている、例えば、文字１７を揃え、完成後、予め取り除いたパズル片１２ｓを空所１３に埋め込み、スライドパズル１０ａの表面は、５×５のブロックであるセル１５から構成されるカラーコード情報２０が表示される。
【００１８】
次に、図３を参照しながら、本実施例における所定のコンテンツ情報４０を色彩又は濃淡に対応してコード化した機械で判読可能なコードであるカラーコード情報２０について説明する。カラーコード情報２０のエンコーディング及びデコーディング方法については、コンピュータ分野において広く行われている事項であり、本発明で規定するところではない、例えば、特願２０００−３９７１７２号には、多様なカラーまたは濃淡で表現されたセルの配列を用いてデータをコードでエンコーディングし、そのエンコーディングされたコードをコンピュータと周辺装置を用いてデコーディングする方法が示されている。本実施例のカラーコード情報は、この特願２０００−３９７１７２号に記されたような機械で判読できるコードを使用することができる。
【００１９】
図３は、コンテンツ情報を機械で判読可能にイメージで形成されたカラーコード情報２０の構成を示す図である。図３は、カラーコード情報２０の一例であり、カラーコード情報２０は少なくとも二つの領域、データ領域２１とパリティ領域２２から構成され、各領域には少なくとも一つのセルを有する。データ領域２１は、情報の内容によって色彩または濃淡がエンコーディングされて表示される少なくとも一つのデータセル３１で形成され、パリティ領域２２は、データ領域２１に表示されたセルの認識エラー検査のためのパリティセルで形成される。
【００２０】
また、カラーコード情報２０には参照領域及び制御領域（図示せず）が、必要に応じて、更に含まれる。参照領域は、データ領域２１に形成されたデータセル３１の色彩または濃淡を判断するための基準色彩または基準濃淡を提供する少なくとも一つの参照セルで形成される。制御領域はデータ領域２１に表示された情報を用いて提供される命令やサービスを表示する少なくとも一つの制御セルで形成される。
【００２１】
データ領域２１は文字などがイメージでエンコーディングされた一つ以上のデータセル３１で構成される。データセル３１はその各々が一つの文字のような情報を示すように構成され、また多数個のデータセルセットが一つまたはそれ以上の情報を示すように構成することもできる。例えば、文字“Ａ”を赤色セル一つで表現したり赤色と緑色の二つのセルで表現できる。
データ領域２１に含まれるコンテンツ情報（目的情報）４０は文字、数字、記号よりなされ、文字、数字、記号、コンテンツサーバのＵＲＬ情報、コンテンツ提供サーバ内のコンテンツを特定する識別情報、ネットワークを特定する識別情報、属性情報など、使用者の必要によって多様になりうる。
【００２２】
パリティ領域２２は、コンテンツ情報４０の内容に対応して色彩または濃淡がデータセル３１に適合して表現されているかどうかを判別するのに使われる。パリティ領域２２はデータセルに表示された色彩または濃淡に対応して規定されたコード値によってパリティデータを求め、パリティデータに対応する色彩または濃淡でパリティセルを形成し、パリティセルがコードイメージ内に多様に位置する。例えば、同じ列にあるセルに対するパリティ情報を有する行パリティセル３２−１、・・・、３２−４が最右側列に表示されると同時に同じ行にあるセルに対するパリティ情報を有する列パリティセル３３−１、・・・、３３−４が最下側行に表示された例を示す。そして、列パリティセル３３と行パリティセル３２に対するパリティ情報を有するポジションセル３４を含む。
【００２３】
各領域に表示されるセル１５のカラーはＲＧＢ(Ｒｅｄ Ｇｒｅｅｎ Ｂｌｕｅ)カラーモデル、ＨＳＶ(Ｈｕｅ Ｓａｔｕｒａｔｉｏｎ Ｖａｌｕｅ)カラーモデル、ＣＭＹ(Ｃｙａｎ、Ｍａｇｅｎｔａ、Ｙｅｌｌｏｗ)モデル、ＨＬＳ(Ｈｕｅ
ａｎｇｌｅ、Ｌｉｇｈｔｎｅｓｓ、Ｓａｔｕｒａｔｉｏｎ)モデル中で少なくともいずれか一つの方式に基づいてカラーが赤色、緑色、青色、黒色で表示される。また、白黒濃淡(グレースケール)によってコードを形成する場合にも参照領域に表示された黒色及び/または白色を基準として各セルの情報を正確に認識することができる。尚、各セルの中心部から４０％を占める色彩または濃淡で認識可能とする。
【００２４】
少なくともデータ領域２１、パリティ領域２２を含むカラーコード情報２０は、マトリックス状のコードイメージからなり、例えば、５×５ブロック、５×８ブロックのセルからなる。
【００２５】
次に、本発明に係るスライドパズル１０作製時のカラーコード情報２０のエンコード処理を実施するエンコーディングシステム１００の一例を説明する。図４は、本発明に係るスライドパズル１０作製時のカラーコード情報のエンコード処理を実施するエンコーディングシステム１００を示す図である。図４に示すように、エンコーディングシステム１００は、コンピュータ１０１、プリンタ１０２、スライドパズル１０等からなる。コンピュータ１０１は、パーソナルコンピュータ等であり、エンコーディング手段１０３を有し、目的情報としてコンテンツ情報４０（例えば、ＵＲＬ）を入力し、エンコーディングによってカラーコード情報２０のコードイメージを生成し、プリンタ１０２でコードイメージをスライドパズル１０の印刷媒体に印刷する。
【００２６】
次に、図５を参照しながら、本実施の形態に係るエンコーディング手段１０３によるエンコード処理について詳しく説明する。図５は、コンテンツ情報４０をカラーコード情報２０のコードイメージでエンコード処理を行うフローチャートである。
予め、数字、記号を含む認識できる各文字と、色彩または濃淡(またはグレーレベル)が対応付けられたコード変換テーブルを設定しておく。
【００２７】
コンピュータ１０１の制御部は、コードイメージに変換する目的情報を入力する(ステップＳ５０１)。目的情報は、コンテンツ情報４０、又はコンテンツ情報４０に関連付けられる情報である。コンテンツ情報４０は、例えば、コンテンツデータ、サービスを提供するコンテンツサーバ１３０のＵＲＬである。
【００２８】
コンピュータ１０１の制御部は、予め設定したコード変換表を用いて目的情報をエンコーディングし、目的情報に含まれた文字や数字に対応するコード値を求め、そのコード値により決まる色彩や濃淡によってデータセルに表示されるイメージを決定し、目的情報の文字を配列した順序によりイメージ化されたデータセル３１を配列してデータ領域２１を生成する(ステップＳ５０２)。
コンピュータ１０１の制御部は、データ領域２１に表示されたカラーや濃淡のコード値を用いてパリティ値を求め、そのパリティ値に対応するカラーや濃淡を設定してパリティ領域２２で生成する(ステップＳ５０３)。
【００２９】
コンピュータ１０１の制御部は、所定のレイアウトによってデータ領域２１及びパリティ領域２２(及び、必要に応じて、参照領域及び制御領域)よりなるコードイメージであるカラーコード情報２０を生成する(ステップＳ５０４)。
コンピュータ１０１の制御部は、プリンタ１０２でカラーコード情報２０を含む絵柄１４及び／又は文字１７のコードイメージをスライドパズル１０の印刷媒体に印刷する(ステップＳ５０５)。
【００３０】
次に、本発明に係る完成後に現れるスライドパズル１０に印刷されたカラーコード情報２０のデコード処理を実施するデコーディングシステムの一例を説明する。図６は、本発明に係る完成後に現れるスライドパズル１０に印刷されたカラーコード情報のデコード処理をクライアント端末側で行い、デコーダサーバ側でコンテンツ特定処理を行うデコーディングシステム２００を示す図である。
【００３１】
図６に示すように、デコーディングシステム２００は、クライアント端末１１０、デコーダサーバ１２０、コンテンツサーバ１３０、スライドパズル１０、ネットワーク１０９等からなる。
【００３２】
デコーディングシステム２００は、ネットワーク１０９を介して、クライアント端末１１０、デコーダサーバ１２０、コンテンツサーバ１３０が接続される。尚、デコーディングシステム２００は、ＷＷＷ（Ｗｏｒｌｄ  Ｗｉｄｅ  Ｗｅｂ）技術を用いて実現した構成図である。
【００３３】
クライアント１４０は、スライドパズル１０の使用者であり、クライアント端末１１０を有する。クライアント端末１１０は、携帯型端末、パーソナルコンピュータ等であり、撮像手段、カラーコード情報読取手段１１１、デコーディング手段１１２、Ｗｅｂブラウザを有する。クライアント端末１１０は、例えば、カメラ付携帯電話等の撮像機能を有する携帯型端末であり、カメラにより、完成されたスライドパズル１０の表面に現れるカラーコード情報２０を撮像し、カラーコード情報読取手段１１１によりカラーコード情報２０を読み取り、デコーディング手段１１２により読み取ったカラーコード情報２０のデコード処理を行う。クライアント端末１１０は、デコード情報４２をデコーダサーバ１２０に送信し、デコーダサーバ１２０から返信されたコンテンツ情報４０を用いて、コンテンツサーバ１３０にアクセスし、撮影したカラーコード情報２０に応じたコンテンツデータ４１を提供するＷｅｂページを表示、閲覧する。
【００３４】
デコーダサーバ１２０はパーソナルコンピュータ等であり、コンテンツ特定手段１２２を有する。コンテンツ特定手段１２２は、受信したデコード情報４２から元来のコンテンツ情報４０を特定する。
【００３５】
コンテンツサーバ１３０はパーソナルコンピュータ等であり、コンテンツ提供手段１３１を有し、クライアント端末１１０からのＵＲＬ等のコンテンツ情報４０によるアクセス要求に伴い、該当するコンテンツデータやサービスを提供する。
【００３６】
次に、図７を参照しながら本実施の形態に係るコードイメージからなるカラーコード情報のデコード処理を説明する。図７は、本実施の形態に係るコードイメージからなるカラーコード情報のデコード処理の処理手順を示すフローチャートの一例である。
【００３７】
クライアント１４０がクライアント端末１１０の撮像機能（カメラ）を用いてスライドパズル１０の表面上に印刷された絵柄を撮影することにより、クライアント端末１１０の制御部は、カラーコード情報読取手段１１１により、データ領域２１とパリティ領域２２(及び、もし存在すれば、参照領域と制御領域)で形成されたコードイメージであるカラーコード情報２０を入力する(ステップＳ７０１)。尚、カラーコード情報２０認識時、認識された赤色、緑色、青色、黒色以外の色彩については、読み飛ばす。
【００３８】
クライアント端末１１０は、取得したコードイメージであるカラーコード情報２０のデコード処理を行い（ステップＳ７０２）、デコード情報４２（例えば、１０桁の数値等）をデコーダサーバ１２０に送信する（ステップＳ７０３）。
デコーダサーバ１２０は、デコード情報４２を受信し（ステップＳ７０４）、入力したデコード情報４２から、記憶部に定義、格納されるテーブルを用いて、対応付けられるコンテンツ情報４０を抽出、特定するコンテンツ特定処理を行う（ステップＳ７０５）。
デコーダサーバ１２０は、抽出したコンテンツ情報４０をクライアント端末１１０に返信する（ステップＳ７０６）。
【００３９】
クライアント端末１１０は、コンテンツ情報４０を表示する（ステップＳ７０７）。
コンテンツ情報４０がコンテンツサーバ１３０のＵＲＬ、コンテンツ提供サーバ内のコンテンツを特定する識別情報、ＩＰアドレス等のネットワークを特定する識別情報である場合、クライアント端末１１０は、ＵＲＬに示されるアドレスにアクセスする（ステップＳ７０８）。
コンテンツサーバ１３０は、クライアント端末１１０からのＵＲＬによるアクセス要求に伴い、該当するコンテンツデータ４１やサービスを提供する（ステップＳ７０９）。
クライアント端末１１０は、コンテンツデータ４１やサービス等を取得する（ステップＳ７１０）。
【００４０】
デコーディング手段１１２によるデコード処理は、コードイメージからコード変換表で定義された通りに元来の目的情報を抽出し、更に、コードイメージに含まれた形態、カラー、パターン、文字を検索する処理、歪んだイメージを補正する処理等を有する。ここで、ＲＧＢ(Ｒｅｄ、Ｇｒｅｅｎ、Ｂｌｕｅ)モデル、ＨＳＶ(Ｈｕｅ ａｎｇｌｅ、Ｓａｔｕｒａｔｉｏｎ、Ｖａｌｕｅ)モデル、ＣＭＹ(Ｃｙａｎ、Ｍａｇｅｎｔａ、Ｙｅｌｌｏｗ)モデル、ＨＬＳ(Ｈｕｅ
ａｎｇｌｅ、Ｌｉｇｈｔｎｅｓｓ、Ｓａｔｕｒａｔｉｏｎ)モデル中で一つ以上の方法を使用してカラーを判別することができる。データ領域２１、パリティ領域２２または制御領域にあるセルの色彩を検出した後、基準色彩との色差を検出して各セルに対するコード値に変換する。パリティ領域２２から求めたコード値、即ち、パリティデータによってコードイメージの各列と行に対するパリティのエラー有無を検査する。求めた各セルのコード値がコード変換表によって数字、記号を含む認識できる文字からなる元来の目的情報に変換される。
【００４１】
以上説明したように、本発明の実施の形態によれば、スライドパズル１０は、複数の矩形形状のパズル片１２−１、１２−２、…と、縁部１１と、縁部１１を有する底盤１６と、からなり、複数のパズル片１２を縦横に配置し、底盤１６上にパズル片１２１つ分を取り除いてできた空所１３を利用して縦横方向に移動しながら、各パズル片１２の表面の文字１７及び／又は絵柄１４を揃え、パズルを完成させることにより現れる絵柄１４に、コンテンツ情報４０を色彩又は濃淡に対応してコード化した機械で判読可能なコードであるカラーコード情報２０が付与されている。クライアント端末（カメラ付携帯電話）１１０は、カメラを用いて、カラーコード情報２０を読み取り、カラーコード情報２０のデコード処理を行う。クライアント端末１１０は、ネットワーク１０９を介して、デコーダサーバ１２０にデコード情報を送り、デコーダサーバ１２０は、受信したデコード情報４２から元来のコンテンツ情報４０を抽出、特定し、クライアント端末１１０に返信する。クライアント端末１１０は、再生されたコンテンツ情報４０を基に、ネットワーク１０９を介して、コンテンツサーバ１３０にアクセスし、コンテンツデータを取得する。
【００４２】
これにより、パズル表面に所定のコンテンツ情報を色彩又は濃淡に対応してコード化した機械で判読可能なコードを印刷し、コンテンツ配信サイトへの誘導をするコンテンツ情報を提供することを可能とし、パズルを完成させる目的以外にも、読取装置によってコンテンツ情報を再生するという楽しみが加えることができ、使用者の興味を引き、飽きるようなことなく楽しめる。
また、コンテンツ情報を色彩又は濃淡に対応してコード化した機械で判読可能なコードであるカラーコード情報をスライドパズルに付加していることにより、デジタルカメラを備えた機器で読取可能とし、容易に利用者にのみ有用なコンテンツデータを入手・利用することができる。
尚、本実施の形態では、クライアント端末１１０側でデコード処理を行い、デコード情報をデコーダサーバ１２０に送り、デコーダサーバ１２０側で受信したデコード情報からコンテンツ情報を特定したが、これに限らない。デコーダサーバ側でカラーコード情報のデコード処理及びコンテンツ特定処理を実施してもよい。また、クライアント端末側でカラーコード情報のデコード処理及びコンテンツ特定処理を実施してもよい。
【００４３】
図８は、デコーダサーバ側でカラーコード情報のデコード処理及びコンテンツ特定処理を実施するデコーディングシステム３００を示す図である。
図８に示すように、デコーディングシステム３００では、クライアント端末１１０は、カメラにより、完成されたスライドパズル１０の表面に現れるカラーコード情報２０を撮像し、カラーコード情報読取手段１１１によりカラーコード情報２０を読み取り、カラーコード情報２０をデコーダサーバ１２０に送信し、デコーダサーバ１２０は、デコーディング手段１２１、コンテンツ特定手段１２２により、受信したカラーコード情報のデコード処理を行い、デコード情報からコンテンツ情報を特定する。デコーダサーバ１２０は、特定したコンテンツ情報４０を用いて、直接、コンテンツ提供サーバ１３０にアクセスし、コンテンツ提供サーバ１３０を介して、コンテンツデータ４１をクライアント端末１１０へ配信する。また、デコーダサーバ１２０は、特定したコンテンツ情報４０を、クライアント端末にコンテンツ情報４０を返信し、クライアント端末１１０からアクセスしてもよい。
【００４４】
図９は、クライアント端末側でカラーコード情報のデコード処理及びコンテンツ特定処理を実施するデコーディングシステム４００を示す図である。
図９に示すように、デコーディングシステム４００では、クライアント端末１１０は、カメラにより、完成されたスライドパズル１０の表面に現れるカラーコード情報２０を撮像し、カラーコード情報読取手段１１１によりカラーコード情報２０を読み取り、デコーディング手段１１２により、カラーコード情報２０のデコード処理を行い、解読したデコード情報からコンテンツ情報を特定し、特定したコンテンツ情報４０を用いて、コンテンツサーバ１３０にアクセスし、コンテンツデータを取得する。また、直接、特定したコンテンツ情報（例えば、記録媒体上の識別情報）を用いて、記録媒体１４０（例えば、スマートメディア、コンパクトフラッシュ（登録商標）カード（ＣＦカード）、フロッピー（登録商標）ディスク、ＰＣカード、ＣＤ−ＲＯＭ等）からコンテンツデータを読み込んでもよい。
【００４５】
更に、本実施の形態では、パズル片１２の片面にカラーコード情報２０のコードイメージからなる絵柄を印刷したが、両面に異なるコードイメージを付与する絵柄を印刷し活用してもよい。これにより、一つのスライドパズル１０にて２種類の絵柄を楽しむことが可能となる。
また、本実施の形態では、全て同じ形状の表面が正方形のパズル片１２を用いたが、これに限らず、表面が正方形のパズル片１２に加えて、該パズル片１２の２つ分の表面が長方形のパズル片を混ぜても良い。これにより、パズルの難易度が高くなり、より興趣に富んだものとなる。
また、本実施の形態では、底盤１６上にパズル片１２の１つ分を取り除いてできた空所１３を利用して移動可能としたが、底盤１６上にパズル片１２の２つ分の空所１３を設けたものでもよい。
また、本実施の形態では、クライアント端末１１０としてカメラ付携帯電話を使用したが、クライアント端末１１０として、パーソナルコンピュータを使用し、撮像手段としてデジタルカメラ、スキャナ等を用いてもよい。
【００４６】
以上、添付図面を参照しながら、本発明に係るスライドパズル１０等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００４７】
【図１】本実施の形態に係るスライドパズル１０の構成を示す図
【図２】スライドパズル１０の台紙１３上の参照する絵柄情報を示す図
【図３】コンテンツ情報を機械で判読可能にイメージで形成されたカラーコード情報２０の構成を示す図
【図４】本発明に係るスライドパズル１０作製時のカラーコード情報のエンコード処理を実施するエンコーディングシステム１００を示す図
【図５】本実施の形態に係るコンテンツ情報４０をカラーコード情報２０のコードイメージでエンコード処理を行うフローチャート
【図６】本発明に係る完成後に現れるスライドパズル１０に印刷されたカラーコード情報のデコード処理をクライアント端末側で行い、デコーダサーバ側でコンテンツ特定処理を行うデコーディングシステム２００を示す図
【図７】本実施の形態に係るコードイメージからなるカラーコード情報のデコード処理の処理手順を示すフローチャート
【図８】本発明に係る完成後に現れるスライドパズル１０に印刷されたデコード処理及びコンテンツ特定処理をデコーダサーバ側で実施するデコーディングシステム３００を示す図
【図９】本発明に係る完成後に現れるスライドパズル１０に印刷されたカラーコード情報のデコード処理及びコンテンツ特定処理をクライアント端末側で実施するデコーディングシステム４００を示す図
【符号の説明】
【００４８】
１０………スライドパズル
１１………縁部
１２−１、１２−２………パズル片
１３………空所
１４………絵柄
１５………セル
１６………底盤
１７………文字
１８………色情報
２０………カラーコード情報
２１………データ領域
２２………パリティ領域
３１………データセル
４０………コンテンツ情報（ＵＲＬ）
３２−１、３２−４………行パリティセル
３３−１、３３−４………列パリティセル
３４………ポジションセル
１００………エンコーディングシステム
１０１………コンピュータ
１０２………プリンタ
１０３………エンコーディング手段
１０９………ネットワーク
１１０………クライアント端末
１１１………カラーコード情報読取手段
１１２、１２１………デコーディング手段
１１３、１２２………コンテンツ特定手段
１２０………デコーダサーバ
１３０………コンテンツサーバ
１３１………コンテンツ提供手段
２００、３００、４００………デコーディングシステム
【図１】
2008000236.tif 000003
【図２】
2008000236.tif 000004
【図３】
2008000236.tif 000005
【図４】
2008000236.tif 000006
【図５】
2008000236.tif 000007
【図６】
2008000236.tif 000008
【図７】
2008000236.tif 000009
【図８】
2008000236.tif 000010
【図９】
2008000236.tif 000011